(57)【要約】      （修正有）【課題】容器として見た目にも新しく斬新な形態であり、消費者に購買意欲を惹起することのできる食品収納用容器を提供する。【解決手段】容器２，３の開口縁をヒンジ６で接合して両容器２，３を横並びに連結する。食品Ａを充填した各容器２，３の開口部をトップシール７で被覆する。ヒンジ６を支点に容器２，３の開口部同士を突き合わせて容器２，３を重合する。容器２，３の重合状態を固定手段９にて保持する。ヒンジ６の部分に容器２，３を分離するための切り離し手段８を設ける。【選択図】図１
0003128430.tif 000002
【実用新案登録請求の範囲】
【請求項１】
独立した２つの容器の開口縁を接合して両容器を横並びに連結し、各容器に食品を充填したのち、それぞれの開口部をトップシールで被覆してなる２連式の食品収納用容器であって、
前記接合部分をヒンジとなして前記２つの容器の開口部同士を突き合わせることにより、該２つの容器を重合し、
該２つの容器の重合状態を帯封等の固定手段にて保持するとともに、
前記ヒンジに前記２つの容器を分離するための切り離し手段を設けた
ことを特徴とする食品収納用容器。
【請求項２】
前記２つの容器を重合した形態が、流通形態及び／または販売形態である
ことを特徴とする請求項１に記載の食品収納用容器。
【請求項３】
前記２つの容器を重合した形態が食品を模した形状である
ことを特徴とする請求項１または２に記載の食品収納用容器。
【請求項４】
各容器に収容される食品の表面が、前記２つの容器を重合して模した食品の断面形状である
ことを特徴とする請求項３に記載の食品収納用容器。
【考案の詳細な説明】
【技術分野】
【０００１】
本考案は、各種の食品を収納して流通や販売するのに用いられる食品収納用容器であって、詳しくは、独立した２つの容器を横並びに連結した２連式の食品収納用容器に関する。
【背景技術】
【０００２】
食品収納用容器の一例として、少なくとも２つの収納凹部が一方向に、または少なくとも４つの収納凹部が二方向に、それぞれ隣接配置され、隣接する各１対の収納凹部の上縁部が連接部によりそれぞれ連接されており、前記連接部に前記各収納凹部を個別に切り離し可能とする複数のスリットと付着部とが交互に直線状に配置されてなる切取線が形成され、前記連接部が、前記切取線に沿うように全体として１つの彎曲形状に形成されているものが知られている（例えば特許文献１）。
【特許文献１】特開２００６−６９６０９号公報
【考案の開示】
【考案が解決しようとする課題】
【０００３】
このような食品収納用容器は、少ない専有面積で多くの食品を収納するという点では優れているが、収納効率という機能性を重視する反面、商品を販売する形態ととしては面白味に欠け、容器を通して販売を促進するものではなかった。
【０００４】
そこで本考案は、容器として見た目にも新しく斬新な形態であり、消費者に購買意欲を惹起することのできる食品収納用容器を提供することを目的としている。
【課題を解決するための手段】
【０００５】
上記の目的を達成するため、本考案の食品収納用容器は、独立した２つの容器の開口縁を接合して両容器を横並びに連結し、各容器に食品を充填したのち、それぞれの開口部をトップシールで被覆してなる２連式の食品収納用容器であって、前記接合部分をヒンジとなして前記２つの容器の開口部同士を突き合わせることにより、該２つの容器を重合し、該２つの容器の重合状態を帯封等の固定手段にて保持するとともに、前記ヒンジに前記２つの容器を分離するための切り離し手段を設けたことを特徴としている。
【０００６】
さらに本考案は、２つの容器を重合した形態を、流通形態及び／または販売形態とすることができる。また、２つの容器を重合した形態を食品の形状としてもよく、さらにこの食品形状に合わせて各容器に収容される表面をその食品の断面形状とすることもできる。
【０００７】
２つの容器には、例えば豆腐や豆乳，ようかん，ゼリー，プリン，チョコレート，離乳食，カレールウ，バター等を初めとする各種の固体食品，半固体食品，ゲル状食品，液体食品が収納される。２つの容器を重合した際の食品形態は、自然物や人工物、生物，植物，食品等であり、食品として例えば卵や野菜，果物の形状を模して製作する。
【０００８】
２つの容器の重合状態を保持する固定手段としては、帯封や熱融着，紙やフィルムを用いたシュリンク等があり、切り離し手段としてミシン目や切り込み線等がある。
固定手段を用いた２つの容器の重ね合わせ形態は、例えば食品メーカがそれぞれの容器に食品を充填してトップシールで被覆したのちに行われ、メーカ出荷から小売店へ届くまでの流通経路と、小売店で消費者に購入される販売状態まで維持される。
食品を購入した消費者は、固定手段を解除して双方の容器をヒンジを支点に横並びに展開し、容器間の切り離し手段を捩るか双方の容器を逆方向へ牽引することによりそれぞれの容器に分断する。
【０００９】
２つの容器の重合形態は、内容物が食品であるから食品の形状とすることがよい。重合した食品形状は、収納した食品に合わせることが好ましく、さらに好ましくは各容器に収容される食品の表面を外形状の食品の断面形状とするとよい。
例えば、２つの容器の重合形態をスイカやキウイフルーツの形状とし、収納食品をゼリーとした場合に、ゼリーに実際のスイカやキウイフルーツのような色彩を施し、さらにゼリーの表面にこれらの種など模した粒状の砂糖やチョコレート等の甘味材、クッキー等の適宜な食品材料を散りばめることによって、スイカやキウイフルーツの断面形状を表すとよい。
【考案の効果】
【００１０】
本考案よれば、機能性を重視した従来の食品収納用容器とは異なり、これまでにはなかった見た目にも新しく斬新な容器形態を提供することができる。また、このような容器形態の特徴を消費者へ視覚的に訴えるので、購買意欲を惹起して販売の促進を図ることができる。さらに、２つの容器の重合形態を、内部に収納された食品の形状とし、食品の表面を外形状の食品の断面形状とすることにより、喫食者はあたかも実際の食品を切断したかのような雰囲気を視覚的に楽しむことができる。
【考案を実施するための最良の形態】
【００１１】
以下、本考案の食品収納用容器の各形態例を、図面に基づいて説明する。
図中、図１及び図２は本考案の第１形態例を示し、図１は食品収納用容器の重合形態を示す斜視図、図２は図１の食品収納用容器を展開した状態の斜視図、図３及び図４は本考案の第２形態例を示し、図３は食品収納用容器の重合形態を示す斜視図、図４は図３の食品収納用容器を展開した状態の斜視図、図５及び図６は本考案の第３形態例を示し、図５は食品収納用容器の重合形態を示す斜視図、図６は図５の食品収納用容器を展開した状態の斜視図、図７及び図８は本考案の第４形態例を示し、図７は食品収納用容器の重合形態を示す斜視図、図８は図７の食品収納用容器を展開した状態の斜視図である。
【００１２】
図１及び図２に示す第１形態例の食品収納用容器１は、独立した２つの容器２，３をそれぞれ鶏卵を縦方向に半切した形状に形成して、それぞれの収納凹部４，５を半切鶏卵形状とし、該収納凹部４，５の開口部外縁にそれぞれフランジ２ａ，３ａを周設するとともに、該フランジ２ａ，３ａをヒンジ６で開閉自在に接合して、両容器２，３を横並びに連結している。
【００１３】
各収納凹部４，５には、食品メーカにおいて所望の食品Ａを充填したのち、双方の開口部をトップシール７にて一体に被覆し、さらにヒンジ６とこの上に重なるトップシール７とにミシン目や切り込み線等を施してこれを切り離し手段８としている。
食品Ａを充填した容器本体２，３は、ヒンジ６を支点に回動してフランジ２ａ，３ａを突き合わせることにより、２つの容器２，３を上下に重ね合わせ、さらに重合した容器２，３に固定手段９として帯封を巻き付けることにより、食品Ａを収納した卵形の食品収納用容器１を完成する。
【００１４】
固定手段６を用いた卵形の重ね合わせ形態は、食品メーカからの工場出荷から小売店へ届くまでの流通経路と、小売店で消費者に購入される販売状態まで維持され、小売店の店頭にあっては、これまでにはなかった見た目にも新しく斬新な容器形態を消費者にアピールする。
また、食品Ａを購入した消費者は、固定手段９を開封して双方の容器２，３をヒンジ６を支点に横並びに開き、容器２，３間の切り離し手段８を捩るか双方の容器２，３を逆方向へ牽引して切り離し手段８から２つの容器２，３に分断し、トップシール７剥がしてそれぞれの容器２，３に収納された食品Ａを個別に食する。
【００１５】
図３及び図４に示す第２形態例の食品収納用容器１０は、独立した２つの容器１１，１２をそれぞれ孟宗竹を縦方向に半切した形状に形成して、それぞれの収納凹部１３，１４を半円柱体形状とし、該収納凹部１３，１４の開口部一端側外縁をヒンジ１５で開閉自在に接合して、両容器１１，１２を横並びに連結している。
【００１６】
収納凹部１３，１４には、食品メーカにおいて所望の食品Ｂを充填したのち、双方の開口部をトップシール１６にて一体に被覆し、さらにヒンジ１５とこの上に重なるトップシール１６とにミシン目や切り込み線等を施してこれを切り離し手段１７としている。本形態例では、容器１１，１２自体に厚みを持たせており、そのため第１形態例に用いたフランジを省略している。
【００１７】
食品Ｂを収容した容器１１，１２は、ヒンジ１５を支点に回動して容器１１，１２の開口部を突き合わせることにより、２つの容器１１，１２を上下に重ね合わせ、さらに重合した容器１１，１２に固定手段１８として帯封を巻き付けることにより、食品Ｂを収納した孟宗竹形の食品収納用容器１０を完成する。
【００１８】
図５及び図６に示す第３形態例の食品収納用容器２０は、独立した２つの容器２１，２２をそれぞれカボチャを上下に半切した形状に形成して、それぞれの収納凹部２３，２４を略半球体形状とし、該収納凹部２３，２４の開口部外縁をヒンジ２５で開閉自在に接合して、両容器２１，２２を横並びに連結している。なお、本形態例では、第１形態例に用いたフランジを省略しており、その分容器２１，２２に厚みを持たせている。
【００１９】
各収納凹部２３，２４には、食品メーカにおいて所望の食品Ｃを充填したのち、双方の開口部をトップシール２６にて一体に被覆し、さらにヒンジ２５とこの上に重なるトップシール２６とにミシン目や切り込み線等を入れてこれを切り離し手段２７としている。
本形態例の食品収納用容器２０はカボチャを模しているため、食品Ｃとして、例えば黄色に着色したカボチャ味のプリンやゼリーを用いてもよく、その際、食品Ｃの表面にカボチャの種を模した粒状の砂糖やチョコレート等の甘味材、クッキー等の適宜な食品材料を散りばめることによってカボチャの断面形状を表すと、視覚的にも一層楽しめてより好ましい。
【００２０】
食品Ｃを充填した容器本体２１，２２は、ヒンジ２５を支点に回動して容器２１，２２の開口部を突き合わせることによって上下に重合され、さらにこれら容器２１，２２を固定手段として紙やフィルム（図示しない）でシュリンクすることにより、食品Ｃを収納したカボチャ形の食品収納用容器２０を完成する。
【００２１】
図７及び図８に示す第１形態例の食品収納用容器３０は、独立した２つの容器３１，３２をそれぞれ立体的な星を横方向に半切した形状に形成して、それぞれの収納凹部３３，３４を星形の柱体形状とし、該収納凹部３３，３４の開口部外縁にそれぞれフランジ３３ａ，３４ａを周設するとともに、該フランジ３３ａ，３４ａをヒンジ３５で開閉自在に接合して、両容器３１，３２を横並びに連結している。
【００２２】
各収納凹部３３，３４には、食品メーカにおいて所望の食品Ｄを充填したのち、双方の開口部をトップシール３６にて一体に被覆し、さらにヒンジ３５とこの上に重なるトップシール３６とにミシン目や切り込み線等を施してこれを切り離し手段３７としている。
食品Ｄを充填した容器本体２，３は、ヒンジ３５を支点に回動してフランジ３３ａ，３４ａを突き合わせることにより、２つの容器３１，３２を上下に重ね合わせ、さらに重合した容器３１，３２に固定手段として例えば熱融着することにより、食品Ｄを収納した星形の食品収納用容器３０を完成する。
【図面の簡単な説明】
【００２３】
【図１】本考案の第１形態例を示す食品収納用容器の重合形態を示す斜視図である。
【図２】本考案の第１形態例を示す図１の食品収納用容器を展開した状態の斜視図である。
【図３】本考案の第２形態例を示す食品収納用容器の重合形態を示す斜視図である。
【図４】本考案の第２形態例を示す図３の食品収納用容器を展開した状態の斜視図である。
【図５】本考案の第３形態例を示す食品収納用容器の重合形態を示す斜視図である。
【図６】本考案の第３形態例を示す図５の食品収納用容器を展開した状態の斜視図である。
【図７】本考案の第４形態例を示す食品収納用容器の重合形態を示す斜視図である。
【図８】本考案の第４形態例を示す図７の食品収納用容器を展開した状態の斜視図である。
【符号の説明】
【００２４】
１，１０，２０，３０…食品収納用容器
２，３，１１，１２，２１，２２，３１，３２…容器
２ａ，３ａ，３３ａ，３４ａ…フランジ
４，５，１３，１４，２３，２４，３３，３４…収納凹部
６，１５，２５，３５…ヒンジ
７，１６，２６，３６…トップシール
８，１７，２７，３７…切り離し手段
９，１８…固定手段
Ａ，Ｂ，Ｃ，Ｄ…食品
【図１】
0003128430.tif 000003
【図２】
0003128430.tif 000004
【図３】
0003128430.tif 000005
【図４】
0003128430.tif 000006
【図５】
0003128430.tif 000007
【図６】
0003128430.tif 000008
【図７】
0003128430.tif 000009
【図８】
0003128430.tif 000010